(57)【要約】【課題】通話中において通話相手に関連するスケジュール情報を迅速且つ簡便に取得できるようにする。【解決手段】携帯電話機１は、アドレス情報を管理するアドレス管理手段２１と、アドレス情報に関連付けられたスケジュール情報を管理するスケジュール管理手段２２と、他の電話機との通話中に所定の操作を行うことにより、通話状態を保持したまま、当該他の電話機の電話番号を含むアドレス情報に関連付けられたスケジュール情報を表示する通話中表示手段２３とを備える。【選択図】図１
2012114806.tif 000002
【特許請求の範囲】
【請求項１】
アドレス情報を管理するアドレス管理手段と、
前記アドレス情報に関連付けられたスケジュール情報を管理するスケジュール管理手段と、
他の電話機との通話中に所定の操作を行うことにより、通話状態を保持したまま、当該他の電話機の電話番号を含む前記アドレス情報に関連付けられた前記スケジュール情報を表示する通話中表示手段と、
を備える携帯電話機。
【請求項２】
前記通話中表示手段は、
前記アドレス管理手段のデータベースを参照し、前記他の電話機からの着信信号に含まれる電話番号を含む前記アドレス情報を抽出し、
前記スケジュール管理手段のデータベースを参照し、前記抽出されたアドレス情報に含まれる項目のうち少なくとも１つの項目に関連する前記スケジュール情報を全て抽出し表示する、
請求項１に記載の携帯電話機。
【請求項３】
前記通話中表示手段は、１回のキー操作により、前記スケジュール情報を表示する、
請求項１又は２に記載の携帯電話機。
【請求項４】
アドレス情報を管理するアドレス管理手段と、前記アドレス情報に関連付けられたスケジュール情報を管理するスケジュール管理手段とを備える携帯電話機の制御方法であって、
他の電話機との通話中に所定の操作を行うことにより、通話状態を保持したまま、当該他の電話機の電話番号を含む前記アドレス情報に関連付けられた前記スケジュール情報を表示するステップ、
を備える携帯電話機の制御方法。
【請求項５】
前記アドレス管理手段のデータベースを参照し、前記他の電話機からの着信信号に含まれる電話番号を含む前記アドレス情報を抽出するステップと、
前記スケジュール管理手段のデータベースを参照し、前記抽出されたアドレス情報に含まれる項目のうち少なくとも１つの項目に関連する前記スケジュール情報を全て抽出し表示するステップと、
を備える請求項４に記載の携帯電話機の制御方法。
【請求項６】
１回のキー操作により、前記スケジュール情報が表示される、
請求項４又は５に記載の携帯電話機の制御方法。
【請求項７】
アドレス情報を管理するアドレス管理手段と、前記アドレス情報に関連付けられたスケジュール情報を管理するスケジュール管理手段とを備える携帯電話機の制御プログラムであって、
前記携帯電話機を制御するプロセッサに、
他の電話機との通話中に所定の操作を行うことにより、通話状態を保持したまま、当該他の電話機の電話番号を含む前記アドレス情報に関連付けられた前記スケジュール情報を表示する処理、
を実行させる携帯電話機の制御プログラム。
【請求項８】
前記プロセッサに、
前記アドレス管理手段のデータベースを参照し、前記他の電話機からの着信信号に含まれる電話番号を含む前記アドレス情報を抽出する処理と、
前記スケジュール管理手段のデータベースを参照し、前記抽出されたアドレス情報に含まれる項目のうち少なくとも１つの項目に関連する前記スケジュール情報を全て抽出し表示する処理と、
を実行させる請求項７に記載の携帯電話機の制御プログラム。
【請求項９】
１回のキー操作により、前記スケジュール情報が表示される、
請求項７又は８に記載の携帯電話機の制御プログラム。
【発明の詳細な説明】
【技術分野】
【０００１】
本発明は、携帯電話機に関し、特にスケジュール表示機能に関するものである。
【背景技術】
【０００２】
近年の携帯電話機には、アドレス管理機能、スケジュール管理機能等が備えられていることが多い。アドレス管理機能とは、他者の個人情報（名前、電話番号、電子メールアドレス等）を含むアドレス情報を記憶し、当該アドレス情報を利用者の操作に応じて適宜呼び出し／書き込み可能にする機能であり、通話開始時、電子メールの送信時等の操作負担を軽減する等の効果を奏するものである。スケジュール管理機能とは、携帯電話機の保有者（又は他者）のスケジュールを記憶し、各スケジュールを時間的又は内容的に管理する機能であり、スケジュールの開始時間の通知、内容的に関連するスケジュールの検索等を可能にするものである。
【０００３】
特許文献１に係る折り畳み式の携帯電話機は、通話中に各種アプリケーションの情報を確認可能にすることを目的として、２つの筺体を開状態から閉状態にした時に、通話回線を維持したまま保留状態とし、表示画面をメニュー画面に切り換え、各種アプリケーションを起動可能にするものである。
【０００４】
特許文献２に係る携帯電話機は、スケジュールデータ、電子メールデータ、電話履歴データを電話帳データにリンク付けることで、着信・発信履歴データ、電子メール送受信データ、スケジュールデータに対し、関連するアプリケーションデータを一覧表示させるものである。
【０００５】
特許文献３に係るシステムは、ユーザが使用する情報処理装置と、不在転送機能及び着信番号と発信者電話番号とを転送先電話に通知する機能を備える電話交換機と、発信者電話番号と着信番号とをユーザの情報処理装置に出力すると共に転送命令及び電話発信命令に応答して転送と発信と着信応答とを行う電話端末と、アドレス帳データ保持手段と、予定表データ保持手段とを備え、ユーザの情報処理装置は、伝送された電話について転送元の着信番号を基にユーザの個人情報をアドレス帳データ保持手段から検索する第１の検索手段と、転送番号のユーザの予定の情報を検索する第２の検索手段と、発信者の個人情報と転送元の着信番号のユーザの個人情報と転送元の着信番号のユーザの予定とを画面に表示する表示手段とを備えるものである。これにより、通話を開始する前から、発信者がユーザの予定、書置き内容等について迅速かつ容易に知ることができるとされている。
【先行技術文献】
【特許文献】
【０００６】
【特許文献１】特開２００４−２６０６１７号公報
【特許文献２】特開２００５−２７０６３号公報
【特許文献３】特開２００８−７８８４２号公報
【発明の概要】
【発明が解決しようとする課題】
【０００７】
しかしながら、特許文献１に係る携帯電話機においては、所望の情報を取得するために、電話機を折り畳んで保留状態にした後に表示されるメニュー画面において、所望のアプリケーションを起動させた後、改めて当該アプリケーションを操作しなければならない。従って、通話相手に関するスケジュールを確認したい場合、上記メニュー画面においてスケジュール管理機能を起動させた後、当該通話相手に関する情報、即ち氏名、件名、日時、電話番号等をキーワードとして検索処理を行わなければならない。そのため、所望の情報を取得するまでに長い時間を要するという問題がある。
【０００８】
また、特許文献２，３に係る携帯電話機及びシステムによっても、上記のような通話中における迅速かつ簡便な情報取得に係る問題を解決することはできない。
【０００９】
そこで、本発明は、通話中において通話相手に関連するスケジュール情報を迅速且つ簡便に取得できるようにすることを目的とする。
【課題を解決するための手段】
【００１０】
本発明の第１の態様は、アドレス情報を管理するアドレス管理手段と、前記アドレス情報に関連付けられたスケジュール情報を管理するスケジュール管理手段と、他の電話機との通話中に所定の操作を行うことにより、通話状態を保持したまま、当該他の電話機の電話番号を含む前記アドレス情報に関連付けられた前記スケジュール情報を表示する通話中表示手段とを備える携帯電話機である。
【００１１】
本発明の第２の態様は、アドレス情報を管理するアドレス管理手段と、前記アドレス情報に関連付けられたスケジュール情報を管理するスケジュール管理手段とを備える携帯電話機の制御方法であって、他の電話機との通話中に所定の操作を行うことにより、通話状態を保持したまま、当該他の電話機の電話番号を含む前記アドレス情報に関連付けられた前記スケジュール情報を表示するステップを備えるものである。
【００１２】
本発明の第３の態様は、アドレス情報を管理するアドレス管理手段と、前記アドレス情報に関連付けられたスケジュール情報を管理するスケジュール管理手段とを備える携帯電話機の制御プログラムであって、前記携帯電話機を制御するプロセッサに、他の電話機との通話中に所定の操作を行うことにより、通話状態を保持したまま、当該他の電話機の電話番号を含む前記アドレス情報に関連付けられた前記スケジュール情報を表示する処理を実行させるものである。
【発明の効果】
【００１３】
本発明によれば、通話中に簡単な操作を行うことにより、自動的に通話相手の電話機の電話番号に基づいてアドレス情報が抽出され、当該アドレス情報と関連するスケジュール情報が取得される。これにより、利用者は通話中に極めて簡単な操作（１回又は数回のボタン操作等）のみを行うことにより、通話状態（保留状態を含む）を保持したまま、通話相手に関連するスケジュール情報を迅速に確認することが可能となる。
【図面の簡単な説明】
【００１４】
【図１】本発明の実施の形態１に係る携帯電話機の機能的な構成を示す図である。
【図２】アドレス情報を例示する図である。
【図３】スケジュール情報を例示する図である。
【図４Ａ】実施の形態１に係る携帯電話機の動作を示すフローチャートである。
【図４Ｂ】実施の形態１に係る携帯電話機の動作を示すフローチャートである。
【発明を実施するための形態】
【００１５】
実施の形態１
以下、図面を参照して本発明の実施の形態について説明する。図１は、本発明の実施の形態１に係る携帯電話機１の機能的な構成を示している。携帯電話機１は、中央処理部装置（ＣＰＵ）１１、記憶装置１２、通信部１３、音声入出力部１４、表示部１５、キー操作部１６、及び報知部１７を有している。
【００１６】
ＣＰＵ１１は、記憶装置１２に格納されたプログラム３３に従って各種演算処理及び制御処理を実行する。本実施の形態に係るＣＰＵ１１は、アドレス管理処理２１、スケジュール管理処理２２、及び通話中表示処理２３を実行する。ＣＰＵ１１は、その他にも基本的な処理、即ち通話処理、電子メール送受信処理、インターネット接続処理等を実行する。
【００１７】
記憶装置１２は、ＤＲＡＭ(Dynamic Random Access Memory)、ＳＲＡＭ(Static Random Access Memory)等の主記憶装置、及びフラッシュメモリ等の補助記憶装置からなる。本実施の形態に係る記憶装置１２は、アドレスデータベース（ＤＢ）３１、スケジュールＤＢ３２、プログラム３３等を格納する。
【００１８】
通信部１３は、アンテナ、ベースバンド回路等から構成される。通信部１３から取り込まれた信号は、受信ベースバンドの信号に復調された後、音声入出力部１４の一部を構成するスピーカ等から出力される。また、音声入出力部１４の一部を構成するマイクから入力された音声信号は、通信部１３において、送信ベースデータの信号に符号化された後、アンテナから出力される。
【００１９】
音声入出力部１４は、スピーカ、マイク等の音声信号の入出力が可能なデバイスから構成される。
【００２０】
表示部１５は、液晶表示装置（ＬＣＤ）等から構成される。表示部１５は、例えば電子メール機能、インターネット接続機能等の実行時に、文字、画像等の情報を表示する。
【００２１】
キー操作部１６は、携帯電話機１の各種操作に用いられるキー、タッチパネル等の機構である。ＣＰＵ１１は、キー操作部１６からの入力信号に応じて各種処理を実行する。
【００２２】
報知部１７は、着信等を報知するための各種デバイス、例えばスピーカ、ＬＥＤ、振動モータ等から構成される。報知部１７により、電話の着信、電子メールの受信、アラーム等が報知される。
【００２３】
図２は、アドレスＤＢ３１に格納されるアドレス情報４１を例示している。本例に係るアドレス情報４１には、通信相手の名前（○○○○）、アドレスＤＢ３１上での位置を示すメモリＮｏ．（９５０）、電話番号（０９０××××）、メールアドレス（△△＠□□）、住所（○○市××町１−１−１）、役職（営業部長）、着信の種類（通話用、メール方式１、メール方式２）に応じた着信報知の種類（メロディ５、バイブレータ、サイレント）等含まれている。
【００２４】
図３は、スケジュールＤＢ３３に格納されるスケジュール情報４２の構成を例示している。本例に係るスケジュール情報４２には、スケジュールの開始日時（２０１０年１０月２８日１０時１０分）、終了日時（２０１０年１０月２８日１２時００分）、アラーム日時（２０１０年１０月２８日１０時００分）、アラーム音（メロディＢ）、メッセージ（取引先重要会議）、スケジュール内容（商品戦略会議）、メモリＮｏ．（９５０）等が含まれる。
【００２５】
ＣＰＵ１１は、上記のように、アドレス管理処理２１、スケジュール管理処理２２、及び通話中表示処理２３を実行する。アドレス管理処理２１は、上記のようなアドレス情報、即ち知人の名前、電話番号、電子メールアドレス等を管理するものである。スケジュール管理処理２２は、上記のような利用者のスケジュール情報を管理するものであり、各スケジュール情報をアドレス情報と関連付けて管理することができるものである。例えば、人物Ａとの打ち合わせに関するスケジュールは、人物Ａの名前、電話番号、電子メールアドレス、メモリＮｏ．等と関連付けられて管理される。
【００２６】
通話中表示処理２３は、他の電話機との通話中に、キー操作部１６に所定の操作を加えることにより、当該他の電話機の電話番号を含むアドレス情報に関連付けられたスケジュール情報を表示するものである。当該通話中表示処理においては、先ずアドレスＤＢ３１を参照し、他の電話機からの着信信号に含まれる電話番号を含むアドレス情報が抽出される。その後、スケジュールＤＢ３２を参照し、抽出されたアドレス情報に含まれる項目（名前、電話番号、電子メールアドレス等）のうち少なくとも１つの項目に関連するスケジュール情報が全て抽出され、表示部１５に表示可能となる。この時、当該スケジュール情報の表示に要するキー操作の回数は少ない程好ましい。例えば、通話中にアドレス帳表示キー等を１回押下するだけで当該スケジュール情報の一部又は全てが表示されたり、メニューキーを１回押下すると当該スケジュール情報の表示を指示する項目を含む通話メニュー画面が表示されたりすることが好ましい。
【００２７】
図４Ａ及び図４Ｂは、本実施の形態に係る携帯電話機１の動作を示している。携帯電話機１は、待ち受け状態になると、常に着信の有無を監視する（Ｓ１０１）。ステップＳ１０１において、着信があった場合（Ｙ）には、当該着信信号に含まれる発信者の電話番号を取得する（Ｓ１０２）。
【００２８】
その後、上記アドレスＤＢ３１を参照し、当該電話番号と一致する（を含む）アドレス情報（以下、一致アドレス情報と略記する）の存否が判定される（Ｓ１０３）。ステップＳ１０３において、一致アドレス情報がある場合（Ｙ）には、一致アドレス情報から着信報知データ（図３参照）を取得し（Ｓ１０４）、当該着信報知データにより指定された方法により報知を行う（Ｓ１０５）。その後、利用者によりオフフックの操作がなされると（Ｓ１０６）、通話状態となる（Ｓ１０８）。一方、ステップ１０３において、一致アドレス情報がない場合（Ｎ）には、予め設定された基本的な呼び出し音又は呼び出し設定（バイブレーション設定、サイレント設定等）に従った方法により報知する（Ｓ１０７）。
【００２９】
その後、図４Ｂに示すように、上記通話状態において例えばメニューキーが押下されると（Ｓ２０１）、ディスプレイ上に通話メニュー画面が表示され（Ｓ２０２）、上記一致アドレス情報の存否が判定される（Ｓ２０３）。
【００３０】
ステップＳ２０３において、一致アドレス情報があると判定された場合（Ｙ）には、当該一致アドレス情報の項目（名前、電話番号、電子メールアドレス等）のうち少なくとも１つに関連付けられたスケジュール情報（以下、一致スケジュール情報と略記する）が存在するか否かを判定する（Ｓ２０４）。一方、ステップＳ２０３において、一致アドレス情報がないと判定された場合（Ｎ）には、通話メニューに表示された他の機能の実行するための処理が行われる（Ｓ２０５）。
【００３１】
ステップＳ２０４において、一致スケジュール情報があると判定された場合（Ｙ）には、当該一致スケジュール情報が表示される（Ｓ２０６）。この時、一致スケジュール情報が複数ある場合には、その時点に最も近い日時のスケジュール情報が表示される。一方、ステップＳ２０４において、一致スケジュール情報がないと判定された場合（Ｎ）には、他の機能が実行される（Ｓ２０５）。
【００３２】
ステップＳ２０６において、一致スケジュール情報が表示されると、利用者の操作に応じて、時間的に前後する他の一致スケジュール情報の表示又は表示の終了が指示される（Ｓ２０７、前データ・次データ・終了）。ステップＳ２０７において、表示の終了が指示されると、通話状態（Ｓ１０８）に戻り、通話中の表示画面が復帰する。
【００３３】
上記携帯電話機１によれば、通話中に簡単な操作を行うことにより、自動的に通話相手の電話機の電話番号に基づいてアドレス情報が抽出され、当該アドレス情報と関連するスケジュール情報が取得される。これにより、利用者は通話中に極めて簡単な操作（１回又は数回のボタン操作等）のみを行うことにより、通話状態（保留状態を含む）を保持したまま、通話相手に関連するスケジュール情報を迅速に確認することが可能となる。
【００３４】
尚、本発明は上記実施の形態に限られるものではなく、趣旨を逸脱しない範囲で適宜変更することが可能なものである。
【符号の説明】
【００３５】
１  携帯電話機
１１  中央処理装置（ＣＰＵ）
１２  記憶装置
１３  通信部
１４  音声入出力部
１５  表示部
１６  キー操作部
１７  報知部
２１  アドレス管理処理
２２  スケジュール管理処理
２３  通話中表示処理
３１  アドレスデータベース
３２  スケジュールデータベース
３３  プログラム
４１  アドレス情報
４２  スケジュール情報
【図１】
2012114806.tif 000003
【図２】
2012114806.tif 000004
【図３】
2012114806.tif 000005
【図４Ａ】
2012114806.tif 000006
【図４Ｂ】
2012114806.tif 000007